(57)【特許請求の範囲】
【請求項１】
マトリクス状に配置された複数の副画素を有する表示装置であって、
前記副画素毎に発光素子が設けられたアレイ基板と、
前記副画素毎に特定の色の光を選択的に透過する透過領域を有するカラーフィルタと、光を遮蔽する遮光膜と、が設けられたカラーフィルタ基板と、を有し、
前記各副画素は、
２行２列に配置されて１つの画素を構成し、
前記１つの画素において、第１対角線上に設けられた２つの副画素に含まれ、第１の色の光を透過する前記透過領域が設けられた第１の副画素と、
前記第１対角線と交差する第２対角線上に設けられた２つの副画素に含まれ、前記第１の色の光よりも視感度の低い第２の色の光を透過する前記透過領域が設けられた第２の副画素と、
を含み、
前記第２の副画素における、前記発光素子の発光領域と前記透過領域の面積の差は、前記第１の副画素における、前記発光素子の発光領域と前記透過領域の面積の差よりも小さく、
前記第１の副画素における、前記発光素子の発光領域の中心と前記透過領域の中心とのずれ量は、前記第２の副画素における、前記発光素子の発光領域の中心と前記透過領域の中心とのずれ量と異なる、
ことを特徴とする表示装置。
【請求項２】
前記第１の副画素に設けられた前記発光領域の面積は、前記第１の副画素に設けられた前記透過領域の面積よりも小さい、ことを特徴とする請求項１に記載の表示装置。
【請求項３】
前記第１の副画素に設けられた前記透過領域の面積は、前記第１の副画素に設けられた前記発光領域の面積よりも小さい、ことを特徴とする請求項１に記載の表示装置。
【請求項４】
前記第１対角線上に設けられた２つの副画素における、前記発光素子の発光領域の中心と前記透過領域の中心とのずれ量は互いに等しく、
前記第２対角線上に設けられた２つの副画素における、前記発光素子の発光領域の中心と前記透過領域の中心とのずれ量は互いに等しい、
ことを特徴とする請求項１乃至３のいずれかに記載の表示装置。
【請求項５】
前記第１の副画素における、前記発光素子の発光領域の中心と前記透過領域の中心とのずれ量は、前記第２の副画素における、前記発光素子の発光領域の中心と前記透過領域の中心とのずれ量よりも大きい、ことを特徴とする請求項１乃至請求項４のいずれかに記載の表示装置。
【請求項６】
前記第１の色は白色又は緑色であり、前記第２の色は赤色又は青色である、ことを特徴とする請求項１乃至５のいずれかに記載の表示装置。
【請求項７】
マトリクス状に配置された複数の副画素を有する表示装置の製造方法であって、
前記副画素毎に発光素子が設けられたアレイ基板を形成する工程と、
前記アレイ基板の前記複数の画素の各々に２行２列に配置され、前記２行２列の第１対角線上に設けられた第１の副画素及び、前記２行２列の、前記第１対角線と交差する第２対角線上に設けられた第２の副画素に対応した前記発光素子を形成する工程と、
カラーフィルタ基板上に遮光膜を形成する工程と、
前記カラーフィルタ基板において、前記第１の副画素の透過領域に設けられた遮光膜を除去し、該透過領域に第１の色の光を選択的に透過するカラーフィルタを形成する工程と、
前記カラーフィルタ基板において、前記第１の副画素と隣接する前記第２の副画素の透過領域に設けられた遮光膜を除去し、該透過領域に前記第１の光よりも視感度の低い第２の色の光を選択的に透過するカラーフィルタを形成する工程と、
第２の副画素に設けられた透過領域の位置と、前記アレイ基板に形成された前記発光素子の発光領域の位置を基準として、前記カラーフィルタ基板と前記アレイ基板を、貼り合せる工程と、
を含み、
前記第２の副画素における、前記発光素子の発光領域と前記透過領域の面積の差が、前記第１の副画素における、前記発光素子の発光領域と前記透過領域の面積の差よりも小さく、かつ前記第１の副画素における、前記発光素子の発光領域の中心と前記透過領域の中心とのずれ量は、前記第２の副画素における、前記発光素子の発光領域の中心と前記透過領域の中心とのずれ量と異なるように形成されることを特徴とする表示装置の製造方法。
【請求項８】
前記第１及び前記第２の副画素の透過領域に形成された遮光膜を除去する際に用いられるマスクは、前記透過領域に対応する形状が円形であることを特徴とする請求項７に記載の表示装置の製造方法。
【発明の詳細な説明】
【技術分野】
【０００１】
本発明は、表示装置、及び、表示装置の製造方法に関する。
【背景技術】
【０００２】
近年、有機ＥＬ表示装置や液晶表示装置等の薄型表示装置は、その薄さ、軽さ、低消費電力などの特徴から従来表示装置の主流を占めてきたＣＲＴに代わり得るものとして目覚ましく発展している。特に表示画像の高解像度化が進展しており、高い解像度を有する表示装置に適したカラーフィルタの製造技術が求められている。
【０００３】
表示装置の解像度が高くなるにつれて一画素の大きさが小さくなることから、パターンの間隔が小さい遮光膜を形成する必要となる。しかしながら、フォトリソグラフィを用いて遮光膜を形成する場合、パターンの間隔が小さくなるにつれて、予定した形状通りの遮光膜が得られない問題が生じる。この問題を、図１０を用いて説明する。
【０００４】
図１０（ａ）は、遮光膜を形成する為に用いるフォトマスク１０００を表す。ここで、例えば、露光されると現像液に対して溶解性が増大するポジ型のフォトレジストを用いてフォトリソグラフィを行った場合、フォトマスク１０００に形成されたパターン１００２同士の間隔が小さい箇所において、光の回折、散乱等が発生することによって、図１０（ｂ）に示すような形状の遮光膜が得られてしまう。また、例えば、露光されると現像液に対して溶解性が低下するネガ型のフォトレジストを用いてフォトリソグラフィを行った場合には、同様の理由により、図１０（ｃ）に示すような形状の遮光膜が得られてしまう。
【０００５】
そこで、例えば、特許文献１は、ブラックマトリックスの額縁部に露光量の異なる箇所を設け、凹凸パターンを形成する点を記載している。そして、額縁部近傍の現像液の活性を減少させることにより、パターンの間隔が小さいカラーフィルタにおいて、額縁部近傍に位置するブラックマトリックスの線幅の細りやくびれの発生を防止する点を開示している。
【０００６】
また、例えば、特許文献２は、遮光膜を複数回に分けて形成し、一度の工程で形成する間遮光膜の間隔を広げることによって、遮光膜の線幅を細くする遮光膜基板の製造方法を開示している。
【先行技術文献】
【特許文献】
【０００７】
【特許文献１】特開２０１４−２２８７２３号公報
【特許文献２】特開２０１４−１４５９２４号公報
【発明の概要】
【発明が解決しようとする課題】
【０００８】
特許文献１のように、露光量の異なる箇所を設け、額縁部に凹凸パターンを形成したとしても、遮光膜のパターンの間隔が小さくなると、予定した形状通りの遮光膜が得られない問題が生じる。また、特許文献２のように、遮光膜を複数回の工程に分けて形成した場合には、工程毎にフォトマスクの位置にずれが生じると、輝度の低下が発生してしまう。
【０００９】
本発明は上記課題に鑑みてなされたものであって、その目的は、遮光膜を複数回の工程に分けて形成する場合であっても、輝度の低下が生じない表示装置、及び、当該表示装置の製造方法を提供することにある。
【課題を解決するための手段】
【００１０】
本発明の一態様は、マトリクス状に配置された複数の副画素を有する表示装置であって、前記副画素毎に光が発せられる領域が設けられたアレイ基板と、前記副画素毎に特定の色の光を選択的に透過するカラーフィルタが設けられた透過領域と、光を遮蔽する遮光膜が設けられた非透過領域を有するカラーフィルタ基板と、を有し、前記各副画素は、第１の色の光を透過する前記カラーフィルタが設けられた第１の副画素と、前記第１の色の光よりも視感度の低い第２の色の光を透過する前記カラーフィルタが設けられた第２の副画素と、を含み、前記光が発せられる領域と前記透過領域の面積の差は、前記第１の副画素よりも前記第２の副画素の方が小さい、ことを特徴としたものである。
【００１１】
また、本発明の他の一態様は、マトリクス状に配置された複数の副画素を有する表示装置の製造方法であって、前記副画素毎に光が発せられる領域が設けられたアレイ基板を形成する工程と、カラーフィルタ基板を覆うように遮光膜を形成する工程と、前記カラーフィルタ基板において、第１の副画素の透過領域に設けられた遮光膜を除去し、該透過領域に第１の色の光を選択的に透過するカラーフィルタを形成する工程と、前記カラーフィルタ基板において、前記第１の副画素と隣接する第２の副画素の透過領域に設けられた遮光膜を除去し、該透過領域に前記第１の光よりも視感度の低い第２の色の光を選択的に透過するカラーフィルタを形成する工程と、第２の副画素に設けられた透過領域の位置と、前記アレイ基板に形成された前記光が発せられる領域の位置を基準として、前記カラーフィルタ基板と前記アレイ基板を、貼り合せる工程と、を含むことを特徴としたものである。
【図面の簡単な説明】
【００１２】
【図１】本発明の実施形態に係る表示装置を概略的に示す図である。
【図２】第１の実施形態における画素の平面図及び断面図を示す図である。
【図３】第１の実施形態において、フォトマスクの位置合わせにずれが生じた場合について説明するための図である。
【図４】従来技術を用いた場合において、フォトマスクの位置合わせにずれが生じた場合について説明するための図である。
【図５】第２の実施形態における画素の平面図及び断面図を示す図である。
【図６】第２の実施形態において、フォトマスクの位置合わせにずれが生じた場合について説明するための図である。
【図７】第３の実施形態における画素の平面図及び断面図を示す図である。
【図８】表示装置の製造工程について説明するためのフローチャートである。
【図９】フォトマスクについて説明するための図である。
【図１０】従来技術によって遮光膜を形成した場合の問題点について説明するための図である。
【発明を実施するための形態】
【００１３】
以下に、本発明の各実施の形態について、図面を参照しつつ説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べ、各部の幅、厚さ、形状等について模式的に評される場合があるが、あくまで一例であって、本発明の解釈を限定するものではない。また、本明細書と各図において、既出の図に関して前述したものと同様の要素には、同一の符号を付して詳細な説明を適宜省略することがある。
【００１４】
また、本発明において、ある構造体の「上に」他の構造体を配置する態様を表現するにあたり、単に「上に」と表記する場合、特に断りの無い限りは、ある構造体に接するように、直上に他の構造体を配置する場合と、ある構造体の上方に、さらに他の構造体を介して他の構造体を配置する場合との両方を含むものとする。
【００１５】
図１は、本発明の実施形態に係る表示装置１００の概略を示す図である。図に示すように、表示装置１００は、上フレーム１１０及び下フレーム１２０に挟まれるように固定された有機ＥＬパネル１３０から構成されている。なお、本実施形態においては、開示例として有機ＥＬ表示装置の場合を例示したが、その他の適用例として、液晶表示装置、その他の自発光型表示装置、あるいは電気泳動素子等を有する電子ペーパー型表示装置等、あらゆるフラットパネル型表示装置が挙げられる。また、中小型から大型まで、特に限定することなく適用が可能であることは言うまでもない。
【００１６】
[第１の実施形態]
続いて、本発明の第１の実施形態について説明する。図２は、第１の実施形態における平面図（図２（ａ））及び図２（ａ）におけるII-II断面を示す図（図２（ｂ））であり、ともに１画素を拡大した図である。図２（ａ）に示すように、複数の副画素が、それぞれ、２行２列に配置されて１つの画素を構成する。
【００１７】
また、副画素には、第１の色の光を透過するカラーフィルタが設けられた第１の副画素と、第１の色の光よりも視感度の低い第２の色の光を透過するカラーフィルタが設けられた第２の副画素と、が含まれ、第１の副画素と、第２の副画素は隣接して配置される。
【００１８】
具体的には、副画素は、視感度の高い緑色又は白色の光が発せられる副画素と、視感度の低い赤色又は青色の光が発せられる副画素を含む。そして、図面上、左上に赤色の光を発する赤色副画素が配置され、右上に緑色の光を発する緑色副画素が配置され、左下に白色の光を発する白色副画素が配置され、右下に青色の光を発する青色副画素が配置される。すなわち、視感度の高い緑色又は白色の光を発する副画素は、視感度の低い赤色又は青色の光を発する副画素と隣接するように配置される。そして、４色の光を発する副画素によって、１画素が構成される。
【００１９】
なお、１個の画素は、４個の副画素が２行２列に配置されて構成される場合に限られない。例えば、１個の画素は、３個の副画素が１行３列に配置されて構成されてもよいし、他の構成であってもよい。
【００２０】
また、各副画素は、アレイ基板に設けられた光が発せられる領域と、カラーフィルタ基板に設けられた特定の色の光を選択的に透過する透過領域と、を有する。具体的には、赤色副画素は、アレイ基板に設けられた白色の光が発せられる領域２０２と、赤色の光を選択的に透過する透過領域２００と、を有する。
【００２１】
同様に、緑色副画素は、アレイ基板に設けられた白色の光が発せられる領域２０６と、緑色の光を選択的に透過する透過領域２０４と、を有する。白色副画素は、アレイ基板に設けられた白色の光が発せられる領域２１０と、白色の光を透過する透過領域２０８と、を有する。青色副画素は、アレイ基板に設けられた白色の光が発せられる領域２１４と、青色の光を選択的に透過する透過領域２１２と、を有する。
【００２２】
さらに、光が発せられる領域と透過領域の面積の差は、第１の副画素よりも第２の副画素の方が小さくなるように形成される。第１の実施形態では、第１の副画素に設けられた光が発せられる領域の面積は、第１の副画素に設けられた透過領域の面積よりも小さくなるように形成される。
【００２３】
具体的には、図２（ａ）に示すように、視感度の高い緑色又は白色の光を発する緑色副画素又は白色副画素の光が発せられる領域２０６，２１０の面積は、当該副画素の透過領域２０４，２０８の面積よりも小さくなるように形成される。一方、視感度の低い赤色又は青色の光を発する赤色副画素又は青色副画素に設けられた光が発せられる領域２０２，２１４の面積は、当該副画素に設けられた透過領域２００，２１２の面積との差が出来るだけ小さくなるように形成される。
【００２４】
ここで、アレイ基板における緑色副画素及び白色副画素の光が発せられる領域２０６，２１０の面積を小さくしたことによって減少した緑色及び白色の光の輝度は、緑色副画素及び白色副画素のＥＬ膜２２６（詳細は後述）から発せられる光の輝度を向上させることによって補完する。具体的には、緑色副画素及び白色副画素に設けられたＥＬ膜２２６に供給する電流密度を増加させることによって、緑色副画素及び白色副画素から発せられる光の輝度を向上させる。なお、緑色副画素及び白色副画素のＥＬ膜２２６の発光面積が小さくなっていることから、電流密度は増加したとしても、消費電力は維持することができる。
【００２５】
ここで、光が発せられる領域と透過領域の面積の差が、第１の副画素よりも第２の副画素の方が小さくなるように形成する理由について説明する。緑色及び白色の光は、赤色及び青色の光よりも視感度が高いことから、白色光が、緑色又は白色のカラーフィルタを透過した後の光の輝度は、同じ輝度の白色光が赤色又は青色のカラーフィルタを透過した後の光の輝度よりも高くなる。
【００２６】
そこで、各副画素の発光面積を同等とする場合には、赤色副画素及び青色副画素に流す電流よりも緑色副画素及び白色副画素の流す電流の方を小さくすることが一般的である。従って、赤色副画素と青色副画素よりも緑色副画素及び白色副画素の方が、電流を増加させる余地を有することから、光が発せられる領域と透過領域の面積の差が、緑色副画素及び白色副画素よりも赤色副画素及び青色副画素の方が小さくなるように形成したとしても、緑色副画素及び白色副画素に流す電流を増加させることで輝度の低下を補完することができる。
【００２７】
次に、画素の断面について説明する。図２（ｂ）に示すように、表示装置１００は、アレイ基板と、カラーフィルタ基板と、アレイ基板とカラーフィルタ基板を貼り合せる充填材２３０と、を含む。そして、アレイ基板は、下ガラス基板２１６と、アレイ層２１８と、平坦化膜２２０と、下部電極２２２と、リブ２２４と、ＥＬ膜２２６と、封止膜２２８と、を含んで構成される。
【００２８】
アレイ層２１８は、下ガラス基板２１６上に形成された、絶縁層、ソース電極、ドレイン電極、ゲート電極や半導体層を含んで構成される。ソース電極、ドレイン電極、ゲート電極及び半導体層によって、トランジスタ（図示なし）が構成される。トランジスタは、ＥＬ膜２２６を発光させる為に流す電流を制御する。ここでは、アレイ層２１８はガラス基板上に形成されているが、樹脂基板等のフレキシブル基板上に形成されても良い。
【００２９】
平坦化膜２２０は、アレイ層２１８を覆うように形成され、アレイ層２１８に配置された配線やトランジスタによる段差を平坦化する。下部電極２２２は、平坦化膜２２０の上層に形成される。なお、図２（ｂ）には表れていないが、平坦化膜２２０にはスルーホールが形成され、当該スルーホールを介して、下部電極２２２は、アレイ層２１８に形成されたトランジスタに含まれるソース電極又はドレイン電極と電気的に接続する。
【００３０】
リブ２２４は、下部電極２２２の周縁部を覆うように形成される。当該リブ２２４によって、下部電極２２２とＥＬ膜２２６に含まれる上部電極のショートを防止することができる。
【００３１】
ＥＬ膜２２６は、下部電極２２２及びリブ２２４の上層側に形成される。具体的には、ＥＬ膜２２６は、ホール注入層、ホール輸送層、発光層、電子注入層、電子輸送層、及び、上部電極が積層されることによって形成される。発光層は、下部電極２２２から注入されたホールと、上部電極から注入された電子とが再結合することにより発光する。ホール注入層、ホール輸送層、電子注入層、及び、電子輸送層については従来技術と同様である為説明を省略する。なお、本実施形態では、発光層は、白色の光を発光する材料を用いて形成される。
【００３２】
封止膜２２８は、ＥＬ膜２２６の上層を覆うように形成される。封止膜２２８は、水分等のＥＬ膜２２６を劣化させる要因となる分子がＥＬ膜２２６に進入することを防止する。
【００３３】
カラーフィルタ基板は、上ガラス基板２３８と、遮光膜２３６と、赤色カラーフィルタ２３２と、緑色カラーフィルタ２３４と、を含んで形成される。遮光膜２３６は、光を遮る材料で形成される。赤色カラーフィルタ２３２及び緑色カラーフィルタ２３４は、それぞれ、赤色の光及び緑色の光を選択的に透過する材料で形成される。なお、図２には示されていないが、白色副画素及び青色副画素においても同様に、それぞれ白色又は青色の光を選択的に透過するカラーフィルタが設けられる。ここでは、カラーフィルタはガラス基板上に形成されているが、樹脂基板等のフレキシブル基板上に形成されても良い。
【００３４】
続いて、本実施形態において、カラーフィルタ基板における緑色副画素及び白色副画素の透過領域２０４，２０８の中心と、アレイ基板における緑色副画素及び白色副画素の光が発せられる領域２０６，２１０の中心と、にずれが生じた場合について説明する。当該ずれは、カラーフィルタ基板を形成する工程において、フォトマスク９００の位置がずれた場合に生じるが、ずれが生じる原因の詳細については後述する。
【００３５】
図３（ａ）及び図３（ｂ）は、ずれが生じた場合における、カラーフィルタ基板とアレイ基板の位置関係を示す図であり、図２（ａ）及び図２（ｂ）にそれぞれ対応する図である。図３（ａ）に示すように、カラーフィルタ基板における赤色副画素及び青色副画素の透過領域２００，２１２の中心と、アレイ基板における赤色副画素及び青色副画素の光が発せられる領域２０２，２１４の中心は一致している。一方、カラーフィルタ基板における緑色副画素及び白色副画素の透過領域２０４，２０８の中心は、アレイ基板における緑色副画素及び白色副画素の光が発せられる領域２０６，２１０の中心から図面上右上の方向にずれている。
【００３６】
同様に図３（ｂ）に示すように、カラーフィルタ基板における赤色副画素の透過領域２００の中心と、アレイ基板における赤色副画素の光が発せられる領域２０２の中心は一致している。一方、カラーフィルタ基板における緑色副画素の透過領域２０４の中心は、アレイ基板における緑色副画素の光が発せられる領域２０６の中心から図面上右側にずれている。
【００３７】
上記のようにずれが生じているものの、アレイ基板における緑色副画素及び白色副画素の光が発せられる領域２０６，２１０が全域に渡って、カラーフィルタ基板における緑色副画素及び白色副画素の透過領域２０４，２０８に含まれている。
【００３８】
一方、図４（ａ）及び図４（ｂ）は、従来のように、全ての副画素の透過領域及び光が発せられる領域が、同等の大きさになるように形成され、かつ上記と同様のずれが生じた場合について説明するための図であり、図３（ａ）及び図３（ｂ）にそれぞれ対応する図である。
【００３９】
図４（ａ）及び図４（ｂ）に示すように、カラーフィルタ基板における緑色副画素及び白色副画素の透過領域２０４，２０８の中心は、アレイ基板における緑色副画素及び白色副画素の光が発せられる領域２０６，２１０の中心からずれている。そのため、アレイ基板における緑色副画素及び白色副画素の光が発せられる領域２０６，２１０の一部が、カラーフィルタ基板に形成された遮光膜２３６と重複している。
【００４０】
従って、従来技術によれば、当該ずれが生じた場合には、ずれが生じない場合と比較して輝度が低下してしまう。一方、本発明の実施形態によれば、ずれが生じた場合であっても、アレイ基板における緑色副画素及び白色副画素の光が発せられる領域２０６，２１０が全域に渡って、カラーフィルタ基板における緑色副画素及び白色副画素の透過領域２０４，２０８に含まれていることから、ずれが生じない場合と比較して輝度が低下することを防止することが出来る。
【００４１】
[第２の実施形態]
続いて、本発明の第２の実施形態について説明する。図５は、第２の実施形態における平面図（図５（ａ））及び図５（ａ）におけるＶ-Ｖ断面を示す図（図５（ｂ））であり、ともに１画素を拡大した図である。なお、図５（ａ）及び図５（ｂ）は、それぞれ第１の実施形態における図２（ａ）及び図２（ｂ）に相当するものであるため、第１の実施形態と同様の構成については説明を省略する。
【００４２】
本実施形態は、第１の実施形態と比較して、第１の副画素に設けられた透過領域の面積が、第１の副画素に設けられた光が発せられる領域の面積よりも小さく形成される点が異なる。具体的には、図５（ａ）及び（ｂ）に示すように、カラーフィルタ基板における緑色副画素及び白色副画素の透過領域２０４，２０８の面積が、アレイ基板における緑色副画素及び白色副画素の光が発せられる領域２０６，２１０の面積よりも小さく形成される。
【００４３】
第１の実施形態と同様に、カラーフィルタ基板における緑色副画素及び白色副画素の透過領域２０４，２０８を小さくしたことによって減少した緑色及び白色の光の輝度は、アレイ基板における緑色副画素及び白色副画素から発せられる光の輝度を向上させることによって補完する。具体的には、緑色副画素及び白色副画素に設けられたＥＬ膜２２６に供給する電流を増加させることによって、緑色副画素及び白色副画素に設けられたＥＬ膜２２６から発せられる光の輝度を向上させる。
【００４４】
続いて、本実施形態において、第１の実施形態と同様のずれが生じた場合について説明する。図６（ａ）及び図６（ｂ）は、ずれが生じた場合における、カラーフィルタ基板とアレイ基板の位置関係を示す図であり、図５（ａ）及び図５（ｂ）にそれぞれ対応する図である。
【００４５】
図６（ａ）及び図６（ｂ）に示すように、カラーフィルタ基板における赤色副画素及び青色副画素の透過領域２００，２１２の中心と、アレイ基板における赤色副画素及び青色副画素の光が発せられる領域２０２，２１４の中心は一致している。一方、カラーフィルタ基板における緑色副画素及び白色副画素の透過領域２０４，２０８の中心は、アレイ基板における緑色副画素及び白色副画素の光が発せられる領域２０６，２１０の中心からずれている。
【００４６】
上記のようにずれが生じているものの、アレイ基板における緑色副画素及び白色副画素の光が発せられる領域２０６，２１０が全域に渡って、カラーフィルタ基板における緑色副画素及び白色副画素の透過領域２０４，２０８に含まれている。従って、本実施形態においても、ずれが生じた場合であっても、ずれが生じない場合と比較して輝度が低下することを防止することが出来る。
【００４７】
また、本実施形態によれば、第１の実施形態と比較して、カラーフィルタ基板における透過領域によって緑色副画素及び白色副画素の輝度が定まることから、輝度のばらつきを低減することができる。さらに、カラーフィルタ基板における透過領域を小さくすることによって、上部電極や下部電極２２２による外光の反射による色味の変化を低減することができる。
【００４８】
[第３の実施形態]
続いて、本発明の第３の実施形態について説明する。図７は、第３の実施形態における平面図（図７（ａ））及び図７（ａ）におけるVII-VII断面を示す図（図７（ｂ））であり、ともに１画素を拡大した図である。なお、図７（ａ）及び図７（ｂ）は、それぞれ第１の実施形態における図２（ａ）及び図２（ｂ）に相当するものであるため、第１の実施形態と同様の構成については説明を省略する。
【００４９】
本実施形態は、第１の実施形態と比較して、ＥＬ膜２２６に含まれる発光層が白色の光を発光する材料ではなく、副画素毎に異なる色の光を発光する材料で形成される点が異なる。具体的には、図７（ｂ）に示すように、赤色副画素には赤色の光を発光する赤色ＥＬ膜７００が形成され、緑色副画素には緑色の光を発光する緑色ＥＬ膜７０２が形成される。なお、ＥＬ膜２２６に含まれる発光層を、副画素毎に異なる色の光を発光する材料で形成する場合は、必ずしもカラーフィルタ層は必要ではないが、各材料の色純度に差がある場合などには、色再現性をより高める手段として有効である。
【００５０】
本実施形態によれば、第１の実施形態と同様に、上記ずれが生じた場合であっても輝度が低下することを防止することが出来るとともに、色再現性を向上させることができる。
【００５１】
続いて、上記のようなマトリクス状に配置された複数の副画素を有する表示装置１００の製造方法について説明する。まず、副画素毎に光が発せられる領域が設けられたアレイ基板が形成される（Ｓ８０１）。アレイ基板の形成工程は従来技術と同様である為、詳細な説明は省略する。
【００５２】
続いて、カラーフィルタ基板を覆うように遮光膜２３６を形成する（Ｓ８０２）。具体的には、上ガラス基板を覆うように、光を透過しない材料で遮光膜２３６を形成する。
【００５３】
次に、第１の副画素のカラーフィルタを形成する（Ｓ８０３）。具体的には、まず、カラーフィルタ基板を覆うように遮光膜２３６を形成する。そして、カラーフィルタ基板において、第１の副画素の透過領域に設けられた遮光膜２３６を除去し、該透過領域に第１の色の光を選択的に透過するカラーフィルタを形成する。
【００５４】
例えば、図９（ａ）に示すフォトマスク９００を用いたフォトリソグラフィによって、各画素９０２において、緑色副画素及び白色副画素の透過領域２０４，２０８に設けられた開口部９０４を露光し、露光された箇所に形成された遮光膜２３６を除去する。そして、遮光膜２３６が除去された領域に緑色又は白色の光を選択的に透過するカラーレジストを塗布する。
【００５５】
次に、第２の副画素のカラーフィルタを形成する（Ｓ８０４）。具体的には、カラーフィルタ基板において、第１の副画素と隣接する第２の副画素の透過領域に設けられた遮光膜２３６を除去し、該透過領域に第１の光よりも視感度の低い第２の色の光を選択的に透過するカラーフィルタを形成する。
【００５６】
例えば、図９（ｂ）に示すフォトマスク９００を用いたフォトリソグラフィによって、各画素９０２において、赤色副画素及び青色副画素の透過領域２０２，２１４に設けられた開口部９０４を露光し、露光された箇所に形成された遮光膜２３６を除去する。そして、遮光膜２３６が除去された領域に赤色又は青色の光を選択的に透過するカラーレジストを塗布する。
【００５７】
次に、カラーフィルタ基板とアレイ基板を貼り合せる（Ｓ８０５）。具体的には、第２の副画素に設けられた透過領域の位置と、アレイ基板に形成された光が発せられる領域の位置を基準として、カラーフィルタ基板とアレイ基板を、貼り合せる。例えば、カラーフィルタ基板における赤色副画素及び青色副画素の透過領域２００，２１２を形成する際に形成したアライメントマークと、アレイ基板の赤色副画素及び青色副画素に設けられたＥＬ膜２２６を形成する際に形成したアライメントマークを基準として、カラーフィルタ基板とアレイ基板を、貼り合せる。
【００５８】
以上の工程によって、上記のようなマトリクス状に配置された複数の副画素を有する表示装置１００が完成する。上記のように、第１の副画素のカラーフィルタと、第２の副画素のカラーフィルタを異なる工程で形成することによって、副画素間の間隔を大きくすることによって、予定した形状通りのカラーフィルタ及び遮光膜２３６を形成することができる。
【００５９】
また、第２の副画素に形成された透過領域を基準として、カラーフィルタ基板とアレイ基板を貼り合せていることから、第１の副画素に形成された透過領域の中心と、アレイ基板に設けられた光が発せられる領域の中心にはずれが生じるおそれがある。しかしながら上述したように、当該ずれが生じたとしても、本発明によれば輝度の変化を防止することができる。
【００６０】
なお、図９に示すように、第１及び第２の副画素の透過領域に形成された遮光膜２３６を除去する際に用いられるマスクには、透過領域に対応する形状が円形であるマスクが用いられるが、当該形状は矩形状であってもよい。また、第１の副画素のカラーフィルタを形成する工程（Ｓ８０３）と、第２の副画素のカラーフィルタを形成する工程（Ｓ８０３）は、順不同である。さらに、表示装置１００が有機ＥＬ表示装置である場合について説明したが、液晶表示装置であっても構わない。
【００６１】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【符号の説明】
【００６２】
１００  表示装置、１１０  上フレーム、１２０  下フレーム、１３０  有機ＥＬパネル、２００  赤色副画素の透過領域、２０２  赤色副画素の光が発せられる領域、２０４  緑色副画素の透過領域、２０６  緑色副画素の光が発せられる領域、２０８  白色副画素の透過領域、２１０  白色副画素の光が発せられる領域、２１２  青色副画素の透過領域、２１４  青色副画素の光が発せられる領域、２１６  下ガラス基板、２１８  アレイ層、２２０  平坦化膜、２２２  下部電極、２２４  リブ、２２６  ＥＬ膜、２２８  封止膜、２３０  充填材、２３２  赤色カラーフィルタ、２３４  緑色カラーフィルタ、２３６  遮光膜、２３８  上ガラス基板、７００  赤色ＥＬ膜、７０２  緑色ＥＬ膜、９００  フォトマスク、９０２  １画素に相当する領域、９０４  開口部、１０００  従来のフォトマスク、１００２  パターン。
【図１】
0006680565.tif 000002
【図２】
0006680565.tif 000003
【図３】
0006680565.tif 000004
【図４】
0006680565.tif 000005
【図５】
0006680565.tif 000006
【図６】
0006680565.tif 000007
【図７】
0006680565.tif 000008
【図８】
0006680565.tif 000009
【図９】
0006680565.tif 000010
【図１０】
0006680565.tif 000011